(57)【要約】【課題】感光体ドラムの無駄な磨耗を防いで寿命を長くできて交換に伴うコストの低減化を図れる画像記録装置を提供する。【解決手段】省エネ状態中にカバー２３が開放したことをカバーセンサ２２にて検出した場合にのみ、省エネ状態から動作状態への移行時に、初期化動作として記録部１８内の感光体ドラム１８１を回転させる。初期化動作としての感光体ドラム１８１の回転が必要であるときにのみ感光体ドラム１８１を回転させ、不必要であるときには感光体ドラム１８１を回転させない。【選択図】図１
2011039407.tif 000002
【特許請求の範囲】
【請求項１】
感光体ドラムを含む記録部と、該記録部を被う開閉可能なカバーとを備えており、動作状態、及び該動作状態より消費電力が少ない少電力状態を有する画像記録装置において、  少電力状態である期間中に前記カバーの開放があったか否かを検出する検出部と、
前記少電力状態から動作状態へ移行する際に、前記検出部にて前記カバーの開放があったことを検出した場合には前記感光体ドラムを回転させ、前記検出部にて前記カバーの開放があったことを検出しなかった場合には前記感光体ドラムを回転させないように制御する制御部と
を備えることを特徴とする画像記録装置。
【請求項２】
前記検出部の検出結果を記憶する記憶部を更に備えることを特徴とする請求項１記載の画像記録装置。
【請求項３】
前記検出部は、前記カバーの開放状態を所定時間以上検知した場合に、前記カバーの開放があったことを検出するように構成してあることを特徴とする請求項１または２記載の画像記録装置。 
【発明の詳細な説明】
【技術分野】
【０００１】
本発明は、画像を記録する画像記録装置に関し、特に、省エネ状態（少電力状態）から通常の動作状態へ移行した際の感光体ドラムの初期化動作に関するものである。
【背景技術】
【０００２】
画像記録装置にあっては、記録処理が実行可能である動作状態（通常電力状態）と、種々の部材への電力供給を部分的に停止させて動作状態より消費電力を少なくさせた省エネ状態（少電力状態）とを設定しておくことが、一般的に行われている。そして、これらの両状態を適切に切り換えることにより、記録処理に支障を来すことなく、電力消費の低減化を図っている。
【０００３】
省エネ状態から動作状態へ移行させた場合には、電源スイッチがオンされたときと同様に装置に初期化動作が行われる。この際、感光体ドラムにトナー画像を形成して画像をシートに記録する記録部を備えた画像記録装置では、この移行時の初期化動作に感光体ドラムの回転が含まれている。特許文献１には、省エネ状態から動作状態への移行の際には、電源スイッチがオンされたときに比べて、感光体ドラムの回転に要する時間を短くすることが開示されている。
【先行技術文献】
【特許文献】
【０００４】
【特許文献１】特開２００３−１８６３５７号公報
【発明の概要】
【発明が解決しようとする課題】
【０００５】
従来では、省エネ状態から動作状態へ移行させた場合に、必ず感光体ドラムを回転させて初期化動作を行っていた。したがって、感光体ドラムは磨耗し易く、寿命が短くなって交換周期が短くなりコストアップにつながるという問題があった。
【０００６】
本発明は斯かる事情に鑑みてなされたものであり、省エネ状態中にカバーの開放状態を検出した場合にのみ初期化動作として感光体ドラムを回転させることにより、感光体ドラムの無駄な磨耗を抑制して寿命を長くできる画像記録装置を提供することを目的とする。
【課題を解決するための手段】
【０００７】
本発明に係る画像記録装置は、感光体ドラムを含む記録部と、該記録部を被う開閉可能なカバーとを備えており、動作状態、及び該動作状態より消費電力が少ない少電力状態を有する画像記録装置において、少電力状態である期間中に前記カバーの開放があったか否かを検出する検出部と、前記少電力状態から動作状態へ移行する際に、前記検出部にて前記カバーの開放があったことを検出した場合には前記感光体ドラムを回転させ、前記検出部にて前記カバーの開放があったことを検出しなかった場合には前記感光体ドラムを回転させないように制御する制御部とを備えることを特徴とする。
【０００８】
本発明の画像記録装置にあっては、装置状態が省エネ状態（少電力状態）である期間中にカバーの開放があったか否かを検出する。そして、省エネ状態中にカバーの開放があった場合には、装置状態が省エネ状態から動作状態へ移行した際に、初期化動作として感光体ドラムを回転させる。一方、省エネ状態中にカバーの開放がなかった場合には、省エネ状態から動作状態へ移行した際に、感光体ドラムを回転させない。つまり、トナーの交換、ジャム処理などにより、省エネ状態中にカバーが開放された場合には、省エネ状態から動作状態への移行時の初期化動作として必要な感光体ドラムの回転を行う。一方、省エネ状態中にカバーが開放されなかった場合には、省エネ状態から動作状態への移行時に感光体ドラムの回転を行わない。動作状態への移行時に、必要な場合のみに感光体ドラムを回転させ、不必要な場合には感光体ドラムを回転させない。よって、感光体ドラムはむやみに磨耗されず、寿命が長くなる。
【０００９】
本発明に係る画像記録装置は、前記検出部の検出結果を記憶する記憶部を更に備えることを特徴とする。
【００１０】
本発明の画像記録装置にあっては、記録部への電力供給の有無とは無関係に、省エネ状態中にカバー開放の有無の検出結果を記憶部にて記憶している。よって、記録部への電力供給が停止される省エネ状態から動作状態ヘ移行した場合でも、カバー開放の有無に応じた感光体ドラムの回転／非回転の制御を正しく行える。
【００１１】
本発明に係る画像記録装置は、前記検出部は、前記カバーの開放状態を所定時間以上検知した場合に、前記カバーの開放があったことを検出するように構成してあることを特徴とする。
【００１２】
本発明の画像記録装置にあっては、カバーの開放状態が所定時間以上続いた場合に、カバーの開放があったことを検出する。カバーの開放状態が長時間にわたる場合には、ユーザにより何らかの処理がなされたと考えられるため、この場合には動作状態ヘ移行した際に、初期化動作として必要な感光体ドラムの回転を行う。
【発明の効果】
【００１３】
本発明の画像記録装置では、装置状態が省エネ状態から動作状態へ移行した際に、その省エネ状態中にカバーの開放があった場合には感光体ドラムを回転させ、その省エネ状態中にカバーの開放がなかった場合には感光体ドラムを回転させない。よって、不必要な感光体ドラムの回転処理を抑止するようにしたので、感光体ドラムの無駄な磨耗を防止でき、寿命を長くすることができる。この結果、感光体ドラムの交換周期が長くなるため、交換に伴うコストを低減できるとともに、廃棄されるゴミの量も減少させることができる。
【００１４】
本発明の画像記録装置では、記録部への電力供給の有無とは無関係に、省エネ状態中でのカバー開放の有無の検出結果を記憶するようにしたので、カバー開放の有無に応じた感光体ドラムの回転／非回転の制御を正しく行うことができる。
【００１５】
本発明の画像記録装置では、カバーの開放状態が所定時間以上続いた場合に、カバーの開放があったことを検出するようにしたので、ユーザにより何らかの処理がなされたときに、初期化動作として必要な感光体ドラムの回転を行うことができる。
【図面の簡単な説明】
【００１６】
【図１】本発明に係る画像記録装置としての複合機を示す概略構成図である。
【図２】複合機における動作手順を示すフローチャートである。
【発明を実施するための形態】
【００１７】
以下、本発明をその実施の形態を示す図面を参照して具体的に説明する。なお、本発明は、以下の実施の形態に限定されるものではない。
【００１８】
図１は、本発明に係る画像記録装置としての複合機を示す概略構成図である。図中１は複合機であり、複合機１は、原稿を複写するコピー機能、外部機器との間でデータの送受信を行う通信機能、原稿を読み取るスキャナ機能、及び取得した画像を用紙に印刷するプリンタ機能などの複数の機能を有している。
【００１９】
複合機１は、制御部１０、ＲＯＭ１１、ＲＡＭ１２、ＮＣＵ(Network Control Unit)１３、モデム１４、スキャナ１５、画像メモリ１６、操作・表示部１７、記録部１８、タイマ１９、コーデック２０、通信インタフェース２１、カバーセンサ２２等を備えている。また、複合機１の側面には、記録部１８を被う態様で、カバー２３が開閉可能に設けられている。
【００２０】
制御部１０は、具体的にはＣＰＵ(Central Processing Unit) で構成されており、バス２４を介して接続される上述したようなハードウェア各部を制御すると共に、ＲＯＭ１１に格納された制御プログラムに従って、種々のソフトウェア的機能を実現する。制御部１０は、カバーセンサ２２の検出結果に基づいて、装置状態が省エネ状態から動作状態へ移行した際に、記録部１８の感光体ドラム１８１を回転させるか否かを制御する制御部として機能する。
【００２１】
ＲＯＭ１１は、複合機１の動作に必要な種々の制御プログラムを予め記憶している。ＲＡＭ１２は、ＤＲＡＭ等で構成され、制御部１０による制御プログラムの実行時に発生するデータを一時的に記憶する。また、ＲＡＭ１２は、カバーセンサ２２の検出結果を記憶する記憶部として機能する。
【００２２】
ＮＣＵ１３は、公衆電話回線網２との回線の閉結及び開放の動作を行うハードウェアであり、公衆電話回線網２とモデム１４とのインタフェース回路を有している。モデム１４は、公衆電話回線網２を介して外部の複合機３とファクシミリ通信を行うためのハードウェアである。データの送信を行う場合、モデム１４は、原稿を読み取って得られたデジタルの画像データをアナログの音声信号に変換して送信する。また、データの受信を行う場合、モデム１４は、公衆電話回線網２を介して受信したアナログの音声信号をデジタルの画像データに変換する。
【００２３】
スキャナ１５は、ＣＣＤ(Charge Coupled Device）等を利用した光走査により原稿を読み取ることにより、原稿の画像データを取得する。画像メモリ１６は、ＤＲＡＭにより構成されており、原稿の画像を読み取って得られる画像データ、外部の複合機３から受信した画像データ、通信インタフェース２１を介して外部のＰＣ（パーソナルコンピュータ）４から受信した画像データなどを記憶する。
【００２４】
操作・表示部１７は、複合機１を操作するために必要な各種のキーを備えている。操作・表示部１７は、装置状態を省エネ状態から動作状態へ移行させる操作を受け付ける省エネキー１７１を有している。操作・表示部１７の表示パネルは、タッチパネル方式の液晶ディスプレイ（ＬＣＤ）で構成されており、複合機１の動作状況、複合機１として表示すべき表示画面、操作・表示部１７から入力された文字等を表示するとともに、各種のキーのうちの一部を代用する。
【００２５】
記録部１８は、電子写真方式のプリンタ装置であって、スキャナ１５にて読み取った原稿の画像データ、外部の機器（複合機３、ＰＣ４など）から取得した画像データに応じた画像を用紙にプリントアウトする。記録部１８内部には、外周面に光導電膜を有する感光体ドラム１８１が配置され、感光体ドラム１８１は、図示しない駆動源によって回転される。
【００２６】
感光体ドラム１８１の周囲には、帯電ブラシ１８２、プリントヘッド１８３、現像器１８４、転写ローラ１８５などが配置されている。帯電ブラシ１８２は、印加されたバイアス電圧により、感光体ドラム１８１の外周面を所定電位に帯電させる。プリントヘッド１８３は、複数のＬＥＤを配列してなり、取得した画像データに基づく光を感光体ドラム１８１の外周面に照射して静電潜像を形成する。現像器１８４は、静電潜像が形成された感光体ドラム１８１の外周面に、帯電されたトナーを供給してトナー画像を形成する。転写ローラ１８５は、感光体ドラム１８１の外周面に接触した状態で回転し、形成されたトナー画像を用紙に転写する。
【００２７】
用紙搬送経路における感光体ドラム１８１の下流側には、定着器１８６が配置されている。定着器１８６は、転写ローラ１８５による転写後の用紙を加熱圧接することにより、用紙上のトナー画像を定着させる。
【００２８】
タイマ１９は、制御部１０の制御により計時処理を行う。タイマ１９は、カバー２３が開放されている時間を計測する計時部として機能する。コーデック２０は、画像データを所定の方式（例えばＭＨ，ＭＲ，ＭＭＲ，ＪＢＩＧ等）に従って圧縮したり、圧縮された画像データを所定の方式に従って伸長する。通信インタフェース２１は、ネットワークを介して接続される外部のＰＣ４へ画像データを送信し、また、ネットワークを介して外部のＰＣ４から記録すべき画像データを受信する。
【００２９】
カバーセンサ２２は、カバー２３の開閉状態を検出する。カバーセンサ２２の検出結果は、ＲＡＭ１２に送られて記憶される。カバーセンサ２２は、装置状態が省エネ状態である期間中にカバー２３の開放があったか否かを検出する検出部として機能する。
【００３０】
本発明の複合機１には、装置状態として、動作状態と、待機状態と、省エネ状態とが存在する。動作状態とは、ファクシミリの受信処理、画像の記録処理などの何らかの処理を行っている状態である。待機状態とは、スキャナ１５の電源のみをオフとして、他の電源はオンとした状態である。省エネ状態とは、スキャナ１５、操作・表示部１７の表示パネル、記録部１８のヒータなどの電源をオフとするとともに、クロックの停止、モジュールのリセットなどが行われている。但し、省エネ状態にあっても、ＲＡＭ１２及びカバーセンサ２２の電源はオフとはされておらず、カバーセンサ２２での検出結果がＲＡＭ１２に記憶される。
【００３１】
以下、本発明の複合機１における省エネ状態から動作状態ヘ移行した際の初期化動作、特に感光体ドラム１８１の回転の初期化動作について説明する。本発明の複合機１にあっては、記録処理が行われた後に装置状態が待機状態へ移行し、待機状態が所定時間続くと装置状態は省エネ状態へ移行する。
【００３２】
この省エネ状態中に、カバーセンサ２２はカバー２３が開かれたか否かを検出し、その検出結果をＲＡＭ１２に記憶させる。そして、例えば、操作・表示部１７の省エネキー１７１が押下されて動作状態への復帰を受け付けた場合に、装置状態は省エネ状態から動作状態へ復帰される。
【００３３】
この際、ＲＡＭ１２での記憶内容に基づいて、復帰前の省エネ状態中にカバー２３が開かれたか否かが判断される。省エネ状態中にカバー２３が開かれた場合には、初期化動作として感光体ドラム１８１を回転させ、一方、省エネ状態中にカバー２３が開かれなかった場合には、初期化動作としての感光体ドラム１８１の回転は行わない。
【００３４】
従来では、省エネ状態から動作状態へ復帰させた際に、必ず感光体ドラムを回転させて初期化動作を行っていた。これに対して、本発明では、省エネ状態中にカバー２３の開放状態を検出した場合にのみ、省エネ状態から動作状態への復帰時に、感光体ドラム１８１を回転させて、省エネ状態中にカバー２３が開放されなかった場合には、省エネ状態から動作状態への復帰時に、感光体ドラム１８１を回転させないようにしている。
【００３５】
よって、本発明では、初期化動作として感光体ドラム１８１の回転が必要であるときにのみ感光体ドラム１８１を回転させ、不必要であるときには感光体ドラム１８１を回転させない。したがって、動作状態への復帰時における感光体ドラム１８１の無駄な回転を抑止することができ、動作状態への復帰時に常に感光体ドラムを回転させていた従来に比べて、感光体ドラム１８１の磨耗の程度が大幅に低減される。この際、本来必要とされていない状況での感光体ドラム１８１の回転を行わないだけであるため、このように感光体ドラム１８１を回転させなくても、複合機１の動作に悪影響が及ぶことはない。
【００３６】
次に、複合機１の動作手順について説明する。図２は、複合機１における動作手順を示すフローチャートである。
【００３７】
記録処理が行われた後に処理が行われない状態が所定時間続いた場合、制御部１０は装置状態を省エネ状態へ移行させる（ステップＳ１）。移行された省エネ状態中に、制御部１０は、カバー２３が開かれたか否かをカバーセンサ２２に検出させ（ステップＳ２）、その検出結果をＲＡＭ１２に記憶させる（ステップＳ３）。具体的に、制御部１０は、カバー２３が開かれたことが検出された場合に、ＲＡＭ１２内の検出フラグを”１”とし、カバー２３が開かれたことが検出されなかった場合に、ＲＡＭ１２内の検出フラグを”０”とする。
【００３８】
次いで、制御部１０は、省エネキー１７１が押下されたか否かを判断する（ステップＳ４）。省エネキー１７１が押下されない場合に（Ｓ４：ＮＯ）、動作過程がＳ２に戻って、Ｓ２，Ｓ３の処理が繰り返される。一方、省エネキー１７１が押下された場合には（Ｓ４：ＹＥＳ）、制御部１０は、装置状態を省エネ状態から動作状態へ復帰させる（ステップＳ５）。
【００３９】
そして、制御部１０は、ＲＡＭ１２内における検出フラグが”１”であるか否かを判断する（ステップＳ６）。検出フラグが”１”である場合に（Ｓ６：ＹＥＳ）、制御部１０は、初期化動作として感光体ドラム１８１を回転させて（ステップＳ７）、動作過程が終了する。一方、検出フラグが”０”である場合には（Ｓ６：ＮＯ）、制御部１０は、初期化動作として感光体ドラム１８１を回転させずに、そのまま動作過程が終了する。
【００４０】
なお、上述した実施の形態では、省エネキー１７１の押下によって、省エネ状態から動作状態へ移行する場合について説明した。但し、外部の複合機３または外部のＰＣ４から記録用の画像データを受信することによって、装置状態が省エネ状態から動作状態へ移行するような場合にも、本発明を同様に適用できることは勿論である。
【００４１】
また、カバー２３の開放状態が所定時間以上にわたって継続した場合にのみ、カバー２３が開かれていたことをカバーセンサ２２が検出するようにしても良い。この場合には、カバーセンサ２２にてカバー２３の開放を検出し始めたタイミングでタイマ１９での計時処理を開始し、計時時間が所定時間以上である場合にのみ、カバー２３が開かれていたとする（ＲＡＭ１２内の検出フラグを”１”とする）。
【符号の説明】
【００４２】
１  複合機（画像記録装置）
１０  制御部
１２  ＲＡＭ
１７  操作・表示部
１８  記録部
１９  タイマ
２２  カバーセンサ
２３  カバー
１７１  省エネキー
１８１  感光体ドラム
【図１】
2011039407.tif 000003
【図２】
2011039407.tif 000004